(57)【要約】【課題】複数の光源ブロックを利用することによる汎用性は維持しつつも、光源全体として均一な光量を得る（即ち、光源ブロック間の影が映らない）ことができ、且つ、看板装置のサイズが大きくなった場合にも対処できる光源装置及びそれを用いた看板装置を提供すること。【解決手段】蓋部３１０、本体部３５０及び光源によって構成された光源ブロック３００を複数備えた光源装置３を用いて看板装置１を構成した。蓋部３１０は、原稿支持部３２０と立設部３３０とを有しており、本体部３５０は、底部３５２と側部３５４とを有している。立設部３３０は、光源４００の光を原稿支持部３２０へと導くものであり、かつ、蓋部３１０及び本体部３５０を組み合わせた場合に側部３５４よりも前方且つ内側に位置するように構成したこと。【選択図】図２
2015121759.tif 000002
【特許請求の範囲】
【請求項１】
前側本体部及び後側本体部を組み合わせてなる箱形状の筐体と該筐体内に配置される光源とを有する光源ブロックを複数備えた光源装置であって、
前記前側本体部は、原稿支持部と、該原稿支持部の端部から後方に延びる立設部を有しており、
前記後側本体部は、前記光源が配置される底部と、該底部の端部から前方に延びる側部を有しており、
前記立設部は、前記光源の光を前記原稿支持部へと導くものであり、かつ、前記前側本体部及び前記後側本体部を組み合わせた場合に前記側部よりも前方且つ内側に位置するように構成されている、
光源装置。
【請求項２】
請求項１に記載の光源装置であって、
前記立設部の内側には垂直な垂直内面が形成され、且つ、前記立設部の外側には垂直な垂直外面及び当該垂直外面と連続し外側へ傾斜する傾斜面とが形成されており、
前記側部の内側には、前記垂直外面に対応する面と、前記傾斜面に対応する面とが形成されている
光源装置。
【請求項３】
請求項２に記載の光源装置であって、
前記立設部の先端の面上と前記垂直外面上と前記傾斜面上とに設けられた拡散シートを更に備える、
光源装置。
【請求項４】
請求項１乃至請求項３のいずれかに記載の光源装置であって、
前記前側本体部は、透明の樹脂からなるものであり、
前記後側本体部は、白色の樹脂からなる、
光源装置。
【請求項５】
請求項１乃至請求項４のいずれかに記載の光源装置であって、
前記光源は、前方に発光し且つ前記前後方向と斜交する光軸を有する間接光源を有している、
光源装置。
【請求項６】
請求項５に記載の光源装置であって、
前記光源は、前方に発光し且つ前記前後方向と平行な光軸を有する直接光源を更に有している、
光源装置。
【請求項７】
請求項５又は請求項６に記載の光源装置であって、
前記間接光源は、その光軸が前記立設部と交差するように配置されている、
光源装置。
【請求項８】
請求項１乃至請求項７のいずれかに記載の光源装置と、原稿と、当該原稿を原稿支持部に固定する固定手段とを備えた看板装置であって、
前記固定手段は、樹脂を主成分とするものである、
看板装置。
【請求項９】
請求項８に記載の看板装置であって、
前記固定手段は、樹脂を基剤とする両面接着シート又は両面接着テープである、
看板装置。
【請求項１０】
箱形状の光源装置用筐体と該筐体内に配置される光源とを有する光源ブロックを複数備えた光源装置であって、
前記筐体は、原稿支持部と、前記光源が配置され且つ前記原稿支持部より後方に位置する底部と、前記原稿支持部及び底部を接続し前後方向に延びる側部を有しており、
前記筐体は、前記光源の光を前記側部の前方へ導く導光手段を有している、
光源装置。
【発明の詳細な説明】
【技術分野】
【０００１】  本発明は、光源装置に関し、特に、看板装置に用いられる光源装置であって複数の光源単位（光源ブロック）からなる光源装置、及び当該光源装置を用いた看板装置に関する。
【背景技術】
【０００２】  複数の光源ブロックによって光源装置を構成する例としては、例えば、特許文献１に開示されている。
【先行技術文献】
【特許文献】
【０００３】
【特許文献１】特開２０１０−１１３１６３号公報
【発明の概要】
【発明が解決しようとする課題】
【０００４】  特許文献１に開示されている技術を用いた場合、光源ブロック同士の間に光量の少ない部分ができてしまう可能性がある。この場合、原稿面に格子状の影が映ってしまい、看板装置の外観を著しく損なう恐れがある。また、看板装置のサイズが大きくなった場合には原稿支持用のアクリル板も特大サイズのものを用意しなければならないことから、製造コストが増大する問題や表面に生じる歪み等が光の反射を受けることにより看板としての品質が低下するという問題等が生じる恐れがある。また、アクリル板に代えてガラス板を採用する余地があるものの重量の問題や取扱者の危険性等の問題が生じ得る。これらのような問題について、特許文献１に開示されている光源装置では何ら考慮されていない。【０００５】  そこで、本発明は、複数の光源ブロックを利用することによる汎用性は維持しつつも、光源全体として均一な光量を得る（即ち、光源ブロック間の影が映らない）ことができ、且つ、看板装置のサイズが大きくなった場合にも対処できる光源装置及びそれを用いた看板装置を提供することを目的とする。
【課題を解決するための手段】
【０００６】  本発明によれば、第１の光源装置として、
前側本体部及び後側本体部を組み合わせてなる箱形状の筐体と該筐体内に配置される光源とを有する光源ブロックを複数備えた光源装置であって、
前記前側本体部は、原稿支持部と、該原稿支持部の端部から後方に延びる立設部を有しており、
前記後側本体部は、前記光源が配置される底部と、該底部の端部から前方に延びる側部を有しており、
前記立設部は、前記光源の光を前記原稿支持部へと導くものであり、かつ、前記前側本体部及び前記後側本体部を組み合わせた場合に前記側部よりも前方且つ内側に位置するように構成されている、
光源装置が得られる。【０００７】  また、本発明によれば、第２の光源装置として、第１の光源装置であって、
前記立設部の内側には垂直な垂直内面が形成され、且つ、前記立設部の外側には垂直な垂直外面及び当該垂直外面と連続し外側へ傾斜する傾斜面とが形成されており、
前記側部の内側には、前記垂直外面に対応する面と、前記傾斜面に対応する面とが形成されている
光源装置が得られる。【０００８】  また、本発明によれば、第３の光源装置として、第２の光源装置であって、
前記立設部の先端の面上と前記垂直外面上と前記傾斜面上とに設けられた拡散シートを更に備える、
光源装置が得られる。【０００９】  また、本発明によれば、第４の光源装置として、第１乃至第３のいずれかの光源装置であって、
前記前側本体部は、透明の樹脂からなるものであり、
前記後側本体部は、白色の樹脂からなる、
光源装置が得られる。【００１０】  また、本発明によれば、第５の光源装置として、第１乃至第４のいずれかの光源装置であって、
前記光源は、前方に発光し且つ前記前後方向と斜交する光軸を有する間接光源を有している、
光源装置が得られる。【００１１】  また、本発明によれば、第６の光源装置として、第５の光源装置であって、
前記光源は、前方に発光し且つ前記前後方向と平行な光軸を有する直接光源を更に有している、
光源装置が得られる。【００１２】  また、本発明によれば、第７の光源装置として、第５又は第６の光源装置であって、
前記間接光源は、その光軸が前記立設部と交差するように配置されている、
光源装置が得られる。【００１３】  また、本発明によれば、第１の看板装置として、
第１乃至第７のいずれかの光源装置と、原稿と、当該原稿を前記原稿支持部に固定する固定手段とを備えた看板装置であって、
前記固定手段は、樹脂を主成分とするものである、
看板装置が得られる。【００１４】  また、本発明によれば、第２の看板装置として、第１の看板装置であって、
前記固定手段は、樹脂を基剤とする両面接着シート又は両面接着テープである、
看板装置が得られる。【００１５】  また、本発明によれば、第８の看板装置として、
箱形状の筐体と該筐体内に配置される光源とを有する光源ブロックを複数備えた光源装置であって、
前記筐体は、原稿支持部と、前記光源が配置され且つ前記原稿支持部より後方に位置する底部と、前記原稿支持部及び底部を接続し前後方向に延びる側部を有しており、
前記筐体は、前記光源の光を前記側部の前方へ導く導光手段を有している、
光源装置が得られる。
【発明の効果】
【００１６】  本発明によれば、複数の光源ブロックによって光源装置を構成することとしたため、看板装置の大きさに関して汎用性を持たせることができ、さまざまなサイズの看板装置２に対応することができる。【００１７】  また、本発明によれば、前側本体部に立設部を設けて光源の光を前方に導くこととしたため、光源ブロック間に生じる影を低減することができる。【００１８】  更に、本発明によれば、各光源ブロックに原稿支持部を設けたため、看板装置のサイズが大きくなった場合でも、特大サイズの１枚板アクリル板等を用意する必要がない。
【図面の簡単な説明】
【００１９】
【図１】  本発明の実施の形態による看板装置を示す分解斜視図である。
【図２】  図１のＩＩ−ＩＩ線に沿った断面図である。なお、光源ブロックの一つが図示されている。
【図３】  図２の円Ｃで囲まれた部分を示す部分拡大断面図である。図において、光軸を点線Ｌで示している。
【図４】  図１の光源ブロックにおける拡散シートの位置を示す分解断面図である。
【図５】  図２の光源ブロックを前から（正面から）見た図である。なお、蓋部は省略されている。
【図６】  図１の光源装置を用いた看板装置を表す分解断面図である。
【図７】  蓋部と本体部との接合部の変形例を示す図である。
【図８】  図１において隣接する光源ブロックの境界付近を部分的に拡大した図である。図において、光軸を点線Ｌで示している。
【図９】  図５の光源ブロックにおいて、光源の配置の変形例を示す図である。図において、光軸を点線Ｌで示している。
【図１０】  図９の光源ブロックを前から（正面から）見た図である。なお、蓋部は省略されている。
【発明を実施するための形態】
【００２０】  図１に示されるように、本発明の実施の形態による看板装置１は、広告等の内容がプリントされた原稿２と光源装置３とを備えている。
【００２１】  本実施の形態における光源装置３は、縦３×横４の合計１２個の光源ブロック３００をブロック塀のように組み合わせてなるものである。即ち、光源装置３は、複数の光源ブロック３００を複数備えてなるものである。
【００２２】  図２に示されるように、光源ブロック３００は、蓋部（前側本体部）３１０と、本体部（後側本体部）３５０とを組み合わせてなる筐体と、本体部３５０に設けられた複数の光源４００とを備えている。本実施の形態における蓋部３１０は透明のアクリル樹脂からなるものであり、本体部３５０は白色のアクリル樹脂からなる。なお、蓋部３１０は、透明度の高い樹脂であればよく、本体部３５０は、透明度の低い樹脂であればよい。また、樹脂は、アクリル樹脂に限られない。
【００２３】  蓋部３１０は、原稿２を支持するための原稿支持部３２０と、該原稿支持部３２０の端部から後方に延びる立設部３３０とを有している。原稿支持部３２０は、前後方向と直交する原稿支持面３１２を有しており、原稿２は、当該原稿支持面３１２に固定（接着）される（接着の方法については後述する。）。本実施の携帯による立設部３３０は、光源４００の光を原稿支持部３２０へと導くものである。
【００２４】  本体部３５０は、光源４００が配置される底部３５２と、当該底部３５２の端部から前方に延びる側部３５４とを有している。図２及び図３から明らかであるように、蓋部３１０及び本体部３５０を組み合わせた状態において、蓋部３１０の立設部３３０は、本体部３５０の側部３５４よりも前方且つ内側に位置するように構成されている。換言すれば、光源ブロック３００を前方から見た場合に、側部３５４の先端３６６の前方には、発光する部分（立設部３３０）が存在している（即ち、発光する立設部３３０が、発光しない側部３５４を覆うように配置されている。）。
【００２５】  図３及び図４によく示されているように、立設部３３０の内側には垂直な（前後方向と平行な）垂直内面３３２が形成され、立設部３３０の外側には垂直な垂直外面３３４及び当該垂直外面３３４と連続し前方且つ外側へ傾斜する傾斜面３３６とが形成されている。また、立設部３３０の（後方における）先端には前後方向と直交する先端面３３８が形成されている。本実施の形態による立設部３３０は、後方に向けて厚みを小さくされたテーパ部分３４０と、テーパ部分３４０から後方に真っ直ぐに（前後方向と平行に）伸びる延長部分３４２との２つの部分から構成されていると捉えることもできる。このように捉えた場合、テーパ部分３４０の内側には垂直内面３３２の一部が形成されると共にテーパ部分３４０の外側には傾斜面３３６が形成されていることとなり、延長部分３４２の内側には垂直内面３３２の一部が形成されると共に延長部分３４２の外側には垂直外面３３４が形成されることとなる。
【００２６】  本体部３５０の側部３５４の内側には、立設部３３０の垂直外面３３４に対応する垂直接合面３６２と、傾斜面３３６に対応する傾斜接合面３６４とが形成されている。本実施の形態による側部３５４の先端３６６は取扱者の安全に配慮する理由から角を削る処理をされているが、図７の変形例のように、先端３６６が鋭いままの状態であってもよい。
【００２７】  図４に示されるように、立設部３３０と側部３５４との間には、光源の光を拡散する拡散シート５００が設けられている。本実施の形態においては、拡散シート５００は、立設部３３０の先端面３３８上と、垂直外面３３４上と、傾斜面３３６上とを覆うように立設部３３０に張り付けられている。
【００２８】  図２及び図５に示されるように、本実施の形態による光源４００は、前方に発光し且つ前後方向と斜交する光軸Ｌを有する間接光源４００ａ、４００ｂのみで構成されている。図示されるように、間接光源４００ａ、４００ｂは、本体部３５０の底部３５２に設けられている。間接光源４００ａは、光源ブロック３００の短辺と平行に「ＩＩ」字状に配置されており、間接光源４００ｂは、側部３５４に近接して「ロ」字状に配置されている（図５においては、破線で囲まれた光源が間接光源４００ａであり、それ以外の光源は間接光源４００ｂである。）。本実施の形態における光源４００には、ＬＥＤ（発光ダイオード）４１０が使用されているが、光源４００はこれに限定されない。
【００２９】  図３及び図６に示されるように、本実施の形態による間接光源４００ａ、４００ｂは、その光軸Ｌが立設部３３０と交差するように配置されている。詳しくは、間接光源４００ａは、図に示される光軸Ｌ１と光軸Ｌ２との範囲内に収まるように角度をつけて配置され、間接光源４００ｂも同様である。これにより、光源４００から発した光はアクリル板の全反射角以下の角度で立設部３３０内に進入し、更に内部で反射を繰り返すことによって原稿支持面３１２より前方へ導かれる（図３に示される光軸Ｌ１、Ｌ２は、図示されている間接光源４００ａ、４００ｂと反対側に位置する光源のものである。）。即ち、本実施の形態による立設部３３０は、光源４００の光を前方へ導く導光体として機能している。
【００３０】  また、本実施の形態においては、光源ブロック３００が長方形形状を有しているため、間接光源４００ａは間接光源４００ｂの光量を補うように機能している。しかし、光源ブック３００の短辺に平行に並べられた間接光源４００ｂの光量を大きいものとすれば、間接光源４００ａを省略することとしてもよい。また、例えば、光源ブロック３００が正方形の場合には、光源４００は、間接光源４００ｂのみとしてもよい。
【００３１】  また、原稿２の模様や色彩等によっては、図９及び図１０に示されるように、間接光源４００ａ、４００ｂに加えて、前方に発光し且つ前後方向と平行な光軸を有する直接光源４０２を併用することとしてもよい。しかし、直接光源４０２の前方への光量が比較的強いことに起因する発光ムラを防止し且つ全体としてより均一な発光を得るためには、間接光源と直接光源とを併用するよりは、間接光源のみを光源として使用することが望ましい。
【００３２】  図６に示されるように、原稿２は、両面接着シート（固定手段）６００によって、原稿支持部３２０の原稿支持面３１２に固定（接着）される。本実施の形態による両面接着シート６００は、樹脂を基剤とするものであり光の透過率が高い。同様の構成を有するものであれば、両面接着テープ等により固定（接着）することとしてもよい。また、光の透過率が高い部材であれば、糊剤や、ボンドのような接着剤等、他の手段を用いることとしてもよい。
【００３３】  図８に示されるように、本実施の形態による光源ブロック３００は、光源ブロック３００を複数組み合わせた状態において（図１に示される状態において）、隣接する光源ブロック３００の立設部３３０同士が互いに接触するように配置されている。この立設部３３０が発光するため、側部３５４の影が原稿２上に生じることを低減させることができる。また、原稿２と原稿支持面３１２とは、両面接着シートの厚さ分だけ離れて配置されていることにより、影を生じさせない効果をより大きくすることができる。
【符号の説明】
【００３４】１        看板装置
２        原稿
３        光源装置
３００        光源ブロック
３１０        蓋部（前側本体部）
３２０        原稿支持部
３１２        原稿支持面
３１４        原稿支持部側面
３３０        立設部
３３２        垂直内面
３３４        垂直外面
３３６        傾斜面
３３８        先端面
３４０        テーパ部分
３４２        延長部分
３５０        本体部（後側本体部）
３５２        底部
３５４        側部
３６０        接合部
３６２        垂直接合面
３６４        傾斜接合面
３６６        先端
４００        光源
４００ａ、４００ｂ        間接光源
４０２        直接光源
５００        拡散シート
６００        両面接着シート（固定手段）
【図１】
2015121759.tif 000003
【図２】
2015121759.tif 000004
【図３】
2015121759.tif 000005
【図４】
2015121759.tif 000006
【図５】
2015121759.tif 000007
【図６】
2015121759.tif 000008
【図７】
2015121759.tif 000009
【図８】
2015121759.tif 000010
【図９】
2015121759.tif 000011
【図１０】
2015121759.tif 000012